(57)【特許請求の範囲】
【請求項１】
集合配管・配線用建造物（１）の側壁部（１ａ）の開口部外側に取付けるためのフードボックス（２０）であって、
前記開口部外側に取付けられる取付枠（３０）と、該取付枠の上縁に後端部が重なり合うように取付けられる上板（６０）と、前記取付枠の両側縁に後端部が重なり合うように取り付けられる両側板（４０Ａ、４０Ｂ）と、該上板及び両側板の前部に取付けられる前板（７０）と、該両側板に取付けられる底板（５０）とに分割構成され、
前記取付枠は、一定幅の帯状板がその長さ方向と直交する線に沿って折り曲げられて前記幅に対応した前後方向の奥行きをもつ角筒状に形成された枠本体（３１）と、該枠本体の後端から内方に延び、集合配管・配線用建造物の側壁部の開口部外側に取付けられる後縁板（３２）と、前記枠本体の前端から外方に延び、前記枠本体の外周に沿って集合配管・配線用建造物の側壁部との間にコーキング材を充填するための窪み部（８０）を形成するとともに前記上板と前記両側板が取付けられる前縁板（３３）とを備え、
さらに、前記上板が、後縁から下方に延びた後縁板（６１ｂ）が前記取付枠の前記前縁板の背面側に進入した状態で前記両側板に固定された奥側の上板構成板（６１）と、該奥側の上板構成板より前後方向の長さが長く、該奥側の上板構成板より低い位置にあって該奥側の上板構成板の前縁下面に後縁上面が接するように重ね合わされた手前側の上板構成板（６５）とによって分割構成され、
前記奥側の上板構成板と前記手前側の上板構成板とが、互いに重なりあった部分を上下に貫通するネジ部材（６）で連結され、該ネジ部材による連結を解除することで、前記奥側の上板構成板を取り外すことなく、前記手前側の上板構成板を前方に引き出すことができるように構成されていることを特徴とする集合配管・配線用建造物取付用フードボックス。
【請求項２】
前記手前側の上板構成板は、前記奥側の上板構成板に対して、頭部が六角柱あるいは頭部端面にプラス溝またはマイナス溝が形成された使用頻度の高い第１のネジ（６）によって固定され、前記奥側の上板構成板は、前記第１のネジと異なる形状の使用頻度の低い第２のネジ（８）によって前記側板または前記取付枠に固定されていることを特徴とする請求項１記載の集合配管・配線用建造物取付用フードボックス。
【発明の詳細な説明】
【技術分野】
【０００１】
本発明は、集合配管・配線用建造物の側壁部の開口部外側に取付けるためのフードボックスに関する。
【背景技術】
【０００２】
ビルの空調設備では、多数の室外機をビルの屋上に設置し、ビルの各フロアの室内機と屋上の対応する各室外機との間を、一対の冷媒管及び一本の制御ケーブルでそれぞれ接続している。また、これら配管の他に、各種ケーブル（電源用、通信用）を屋上から屋内へ引き込んでいる。
【０００３】
このため、ビルの屋上に、図１６に示すような小屋風の集合配管・配線用建造物（通称ハト小屋、以下単に建造物という）１を屋上に建造し、この建造物１の側壁部１ａに設けた管やケーブル通過用の開口部に、その開口部を覆う防水用のフードボックス１５を取付ける。
【０００４】
そして、例えば、各フロアの室内機からの冷媒管や制御ケーブルを、ビル内を高さ方向に貫通するシャフト内でひとまとめに合流させて屋上の建造物１内まで通し、さらに、側壁部１ａの開口部からフードボックス１５を通して、屋上に設置したラック２に沿って配管・配線し、ラック２の近傍に多数設置された各個別の室外機（図示せず）に接続している（符号３はラック支持材）。また、電源用ケーブルや通信用ケーブルについてもフードボックス１５で覆われた側壁部１ａの開口部を通過するようにして、屋上と屋内の間を配線される。
【０００５】
このように、建設中のビル等の屋上に設置されるフードボックス１５には、施工が容易で、構成材料の運搬が楽で、且つ確実な防水性が要求される。
【０００６】
フードボックスに要求される形状は、側壁部１ａに固定される背面側と底面側とに、管やケーブル通過のための開口を有する箱型構造であるが、従前のものでは、その箱状の一体型の形状のフードボックスをそのまま側壁部１ａに固定するというものであり、材料単体の重量が極めて重く、ビルの屋上などへ運搬するのが大変であり、特にサイズが大きい場合、エレベータで運搬できず、階段を使って運搬しなければならないため、多大な労力を要していた。
【０００７】
また、フードボックスの重量が重いため、側壁部１ａへの取付作業が、一人では不可能で、人手を要し、且つ取付けに多大な時間を要する等、極めて不便であった。
【０００８】
また、建造物１の側壁部１ａにフードボックスの取付部が垂直に窪み部分なしに取付けられているため、防水用のコーキング処理を確実に行うことができないとい問題もあった。
【０００９】
これらの問題を解決するために本願出願人らは、次の特許文献１において、運搬も容易で、取付け作業も一人ででき、またコーキング処理を確実に行えるフードボックスを提案している。
【００１０】
この特許文献１の技術は、建造物側壁の開口部外側に取付けるためのフードボックスが、開口部外側に取付けられる取付枠と、その取付枠に取付けられるフード本体と、そのフード本体に取付けられる前蓋と、そのフード本体に取付けられる底板とに分割構成され、これらを組立てるようにしており、この特徴的構造により上記問題を解決している。
【００１１】
また、特許文献１には、フード本体が上板と両側板に分割される構造も提案されており、この分割構造により、フードボックスを構成する全ての部材が概略板状でかさばらないものとすることができ、運搬、取付作業をさらに容易にしている。
【００１２】
また、特許文献２には、フード本体の上板と側板が分割される構造をもつフードボックスにおいて、側板の取付作業を容易にする技術も開示されている。
【００１３】
この特許文献２の技術は、取付枠に、側板の端部をネジ止めするネジ穴を複数個設け、そのネジ穴の一つを切り欠き状にし、側板の端部のネジ穴のうち、取付枠の切り欠き状のネジ穴に対応する位置のネジ穴に、予めナット付きネジを緩んだ状態で取付ておき、そのナット付きネジの軸部を、取付枠の切り欠き状ネジ穴にスライド挿入することで、側板を取付枠に仮止めした状態でネジ止め固定することで、側板の取付作業を一人でも行えるように簡単化したものである。
【先行技術文献】
【特許文献】
【００１４】
【特許文献１】特許第３２１３８８１号公報
【特許文献２】特開２００８−１２７７９７号公報
【発明の概要】
【発明が解決しようとする課題】
【００１５】
上記特許文献では、取付枠は、一定幅の帯状板を折り曲げて前後方向に僅かな奥行きのある四角筒状に形成された枠本体と、枠本体の後縁から内方に延びた後縁板（後フランジ）と、枠本体の前縁から外方に延びた前縁板（前フランジ）を有し、後縁板を建造物（ハト小屋）の側壁面に当接させた状態で固定され、前縁板に設けられたネジ穴にフード本体を構成する各板の後端部がネジ止めされる構造であるので、建造物の壁面と前フランジとの間に枠体の奥行き分だけ内方に凹んだ窪み部が全周にわたって連続して形成され、この窪み部にコーキング材を流し込むことで、確実な防水処理が行える。
【００１６】
ここで、上記構造のフードボックスは、防水性を高めるために、上板の前後左右の縁には下方に延びた縁板が設けられており、そのうちの後縁板は取付枠の前縁板の背面に接する状態で固定される。つまり、上板の後縁板がコーキング代としての窪み部に進入した状態でコーキング処理されることになる。また、防水のためのコーキング処理は、安全を見て窪み部からはみ出すようにおこなう場合が多く、窪み部に入り込む縁板を持たない上板であってもその後縁部がコーキング材で覆われることになる。
【００１７】
ところが、上記工事が一度行われた後に、メンテナンスや機器の増設のためにこの上板を外す必要がある。しかし、上記のように後端部がコーキング材で覆われている上板を外した場合、コーキング材が剥がれてしまうので、メンテナンス等が終了した後にコーキング処理を再度行う必要があるが、最初の施工を行った業者とメンテナンス業者とが異なる場合、コーキング処理を忘れたり、いい加減な作業が行われて、防水性が著しく低下するという問題があった。
【００１８】
本発明は、この問題を解決し、メンテナンスや増設工事などの際のコーキング処理を不要にし、高い防水性を維持することができるフードボックスを提供することを目的としている。
【課題を解決するための手段】
【００１９】
前記目的を達成するために、本発明の請求項１の集合配管・配線用建造物取付用フードボックスは、
集合配管・配線用建造物（１）の側壁部（１ａ）の開口部外側に取付けるためのフードボックス（２０）であって、
前記開口部外側に取付けられる取付枠（３０）と、該取付枠の上縁に後端部が重なり合うように取付けられる上板（６０）と、前記取付枠の両側縁に後端部が重なり合うように取り付けられる両側板（４０Ａ、４０Ｂ）と、該上板及び両側板の前部に取付けられる前板（７０）と、該両側板に取付けられる底板（５０）とに分割構成され、
前記取付枠は、一定幅の帯状板がその長さ方向と直交する線に沿って折り曲げられて前記幅に対応した前後方向の奥行きをもつ角筒状に形成された枠本体（３１）と、該枠本体の後端から内方に延び、集合配管・配線用建造物の側壁部の開口部外側に取付けられる後縁板（３２）と、前記枠本体の前端から外方に延び、前記枠本体の外周に沿って集合配管・配線用建造物の側壁部との間にコーキング材を充填するための窪み部（８０）を形成するとともに前記上板と前記両側板が取付けられる前縁板（３３）とを備え、
さらに、前記上板が、後縁から下方に延びた後縁板（６１ｂ）が前記取付枠の前記前縁板の背面側に進入した状態で前記両側板に固定された奥側の上板構成板（６１）と、該奥側の上板構成板より前後方向の長さが長く、該奥側の上板構成板より低い位置にあって該奥側の上板構成板の前縁下面に後縁上面が接するように重ね合わされた手前側の上板構成板（６５）とによって分割構成され、
前記奥側の上板構成板と前記手前側の上板構成板とが、互いに重なりあった部分を上下に貫通するネジ部材（６）で連結され、該ネジ部材による連結を解除することで、前記奥側の上板構成板を取り外すことなく、前記手前側の上板構成板を前方に引き出すことができるように構成されていることを特徴とする。
【００２２】
また、本発明の請求項２の集合配管・配線用建造物取付用フードボックスは、請求項１記載の集合配管・配線用建造物取付用フードボックスにおいて、
前記手前側の上板構成板は、前記奥側の上板構成板に対して、頭部が六角柱あるいは頭部端面にプラス溝またはマイナス溝が形成された使用頻度の高い第１のネジ（６）によって固定され、前記奥側の上板構成板は、前記第１のネジと異なる形状の使用頻度の低い第２のネジ（８）によって前記側板または前記取付枠に固定されていることを特徴としている。
【発明の効果】
【００２３】
上記のように、本発明の請求項１のフードボックスでは、取付枠の外周にコーキング処理がなされた後に、配管、配線増設作業やメンテナンス作業を行う場合でも、奥側の上板構成板を外さずに手前側の上板構成板を取り外しが行えるので、それらの作業でコーキング材の剥がれによる防水性の低下を招く恐れがない。
【００２４】
また、枠本体の外周に沿って、集合配管・配線用建造物の側壁部と前縁板との間に、コーキング材を充填するための窪み部が構成され、上板構成板のうち、奥側の上板構成板の後縁には、窪み部に進入して取付枠の前縁板の背面に接する後縁板が設けられているから、奥側の上板構成材を取り付けた状態で窪み部にコーキング処理を行うことで、奥側の上板構成板の縁部と取付枠の上縁の間の高い防水性が維持される。
【００２５】
また、奥側の上板構成板に対して手前側の上板構成板が低い位置にあり、奥側の上板構成板の前縁下面に手前側の上板構成板の後縁上面が接するように重ね合わさされた状態で取り付けられているので、その傾斜に沿って降雨を取付枠から離間する方向に流し、ボックス内への浸水を確実に防止する。
【００２６】
また、本発明の請求項２では、奥側の上板構成板を取付枠あるいは側板に固定するための第２のネジの形状が、手前側の上板構成板を固定するための使用頻度の高い第１のネジの形状と異なっているので、メンテナンス作業者等が誤って奥側の上板構成板を外してしまう可能性が極めて小さくなり、コーキング材の剥がれる可能性をより少なくすることができる。
【図面の簡単な説明】
【００２７】
【図１】本発明の実施形態の組み立て後の全体図
【図２】実施形態の分解図
【図３】実施形態のフードボックスの組み立て作業を説明するための図
【図４】実施形態のフードボックスの組み立て作業を説明するための図
【図５】実施形態のフードボックスの組み立て作業を説明するための図
【図６】実施形態のフードボックスの組み立て作業を説明するための図
【図７】実施形態のフードボックスの組み立て作業を説明するための図
【図８】実施形態のフードボックスの組み立て作業を説明するための図
【図９】実施形態のフードボックスの組み立て作業を説明するための図
【図１０】実施形態のフードボックスの組み立て作業を説明するための図
【図１１】実施形態のフードボックスの組み立て作業を説明するための図
【図１２】実施形態のフードボックスの組み立て作業を説明するための図
【図１３】実施形態のフードボックスの組み立て後に上板の前部を外した状態を示す図
【図１４】スペーサの代わりにエンボス加工を用いた例を示す図
【図１５】上板構成板間の固定に、カシメ固定型ナットを用いた例を示す図
【図１６】従来のフードボッボックスの全体図
【発明を実施するための形態】
【００２８】
以下、図面に基づいて本発明の実施形態を説明する。
図１は本発明の実施形態のフードボックス２０の全体図、図２はその分解図を示している。
【００２９】
これらの図において、フードボックス２０は、建造物１の側壁部１ａの開口部の外側に取付けられる取付枠３０と、この取付枠３０に取付けられる左右の側板４０Ａ、４０Ｂ、底板５０、上板６０、前板７０とに分割されていて、これらの組立てによって、後部および下面側に管やケーブルを通過させるための開口を有する箱型に形成される。
【００３０】
取付枠３０は、一定幅の帯状板をその長さ方向と直交する線に沿って折り曲げて、その幅に相当する前後方向に僅かな奥行きのある長方形の筒状に形成された枠本体３１と、枠本体３１の後端に、四辺の全周にわたって枠本体３１から垂直に内方へ延びた後縁板３２と、枠本体３１の前端に、四辺の全周にわたって枠本体３１から垂直に外方へ向かって延びた前縁板３３とを有している。
【００３１】
後縁板３２の上辺部３２ａ、下辺部３２ｂ、左辺部３２ｃ、右辺部３２ｄには、側壁部１ａに予め固定されたアンカーボルト（または貫通スリーブに連結するためのボルト）を通過させる穴３５が設けられている。
【００３２】
また、前縁板３３の左辺部３３ｃ、右辺部３３ｄには、左右の側板４０Ａ、４０Ｂをネジ止め固定するための複数（図では３つ）の穴３６、３７が上下方向に所定間隔で設けられている。この穴のうち、中央の穴３７は、横長でエッジ側が切欠かれている。
【００３３】
左右対称の側板４０Ａ、４０Ｂは、略長方形で前縁が後縁より短く形成され、下縁に対して上縁が前方に向かって下がるように傾斜している横向き台形状の基部４０ａ、基部４０ａの後縁から一定幅で基部内面を望む方向に直角に延びた後縁板４０ｂ、基部４０ａの前縁から一定幅で基部内面を望む方向に直角に延びた前縁板４０ｃ、基部４０ａの上縁から一定幅で基部内面を望む方向に直角に延びた上縁板４０ｄ、基部４０ａの下縁から一定幅で基部内面を望む方向に直角に延びた下縁板４０ｅとにより構成されている。なお、上縁板４０ｄは、基部４０ａの上縁の傾斜に沿って後部側から前部側に向かって低くなるように傾斜している。また、前縁板４０ｃの下端と下縁板４０ｅの前端との間には、後述の底板５０の後縁板５０ｂの高さより僅かに大きな寸法で開口するスリット４５が設けられている。
【００３４】
側板４０Ａ、４０Ｂの後縁板４０ｂには、取付枠３０の穴３６、３７に対応した位置にネジ止め用の複数の穴４１が設けられ、前縁板４０ｃには、前板７０をネジ止め固定するための複数の穴４２が設けられ、上縁板４０ｄには、上板６０をネジ止め固定するための複数の穴４３が設けられ、下縁板４０ｅには、底板５０をネジ止めするため固定するための複数の穴４４が設けられている。
【００３５】
底板５０は、前部中央が切欠れて凹状に形成された基部５０ａと、基部５０ａの後端から上方に延びた後縁板５０ｂ、基部５０ａの切欠かれた縁部からそれぞれ下方に延びたソケット板５０ｃ〜５０ｅとにより構成されている。基部５０の両側部には側板４０Ａ、４０Ｂの下縁板４０ｅにネジ止め固定するための複数の穴５１が設けられている。
【００３６】
上板６０は、複数（ここでは２つ）の上板構成板６１、６５によって分割構成されている。取付枠３０に近い方の奥側（上流側）の上板構成板６１は、横長の長方形の基部６１ａと、その後縁から下方に延びた後縁板６１ｂ、基部６１ａの左右の側縁から下方に延びた側縁板６１ｃ、６１ｄとで下面側、前面側が開口した薄い箱型に形成されている。基部６１の両側縁には、側板４０Ａ、４０Ｂにネジ止め固定するための穴６２が設けられ、前縁には上板構成板６５にネジ止め固定するための複数の穴６３が設けられている。上板構成板６１は、上板構成板６５の板厚より僅かに厚いスペーサ６４を挟んだ状態で側板４０Ａ、４０Ｂの上縁板４０ｄにネジ止めされるので、側板４０Ａ、４０Ｂの上縁板４０ｄから僅かに浮いた状態となり、その隙間に下流側の上板構成板６５の先端が挿入されるようにして固定される。
【００３７】
下流側の上板構成板６５は、長方形の基部６５ａ、その左右の側縁から下方に延びた側縁板６５ｂ、６５ｃ、基部６５ａの前端から下方に延びた前縁板６５ｄとで、後面側と下面側が開口された薄い箱型に形成されている。上板構成板６５の横幅は、上流側の上板構成板６１の左右の側縁板６１ｃ、６１ｄ間の内寸より僅かに小さく設定されていて、上板構成板６５を、上流側の上板構成板６１の側縁板６１ｃ、６１ｄ間に差し込めるようになっている。上板構成板６５の前縁で、上板構成板６１の穴６３にそれぞれ対応した位置には、上板構成板同士をネジ止め連結するためのネジ溝穴６６が設けられ、左右の側縁には側板４０Ａ、４０Ｂにネジ止め固定するための穴６７が設けられている。ネジ溝穴６６は、プレス加工で下方に延びたスリーブを形成し、その内周にネジ溝を設けたもの、下面側からナットを溶接止めあるい後述のようにカシメ止めしたもののいずれでもよい。
【００３８】
前板７０は、横長の長方形の基部７０ａと、その上縁から前方に延びた上縁板７０ｂ、基部７０ａの下縁から後方に延びた下縁板７０ｃ、左右の側縁から後方に延びた側縁板７０ｃ、７０ｄとを有し、両側縁には、側板４０Ａ、４０Ｂにネジ止め固定するための穴７１が設けられている。
【００３９】
次に、このフードボックスの組み立て方法について説明する。
始めに、図３に示すように、建造物の側壁部１ａの開口部１ｂを囲むようにして取付枠３０を固定する。
【００４０】
この固定は、例えば予め開口部１ｂの周縁で、取付枠３０の後縁板３２の各穴３５の位置にアンカーボルトを埋設しておき、そのアンカーボルトを穴３５に挿通させて取付枠３０の後縁板３２を側壁部１ａに密着させ、アンカーボルトにボルト５を締めつけることによって行う。なお、より大きな開口部内に予め固定された貫通スリーブに取付枠３０の後縁板をボルト固定する場合もある。
【００４１】
このようにして取付枠３０が壁面に固定された状態で、図４のように、一方の側板４０Ｂの後縁板４０ｂの中央の穴４１に、内側からボルト６を差し込み、後方に突出したボルト６の先に板ナット７を緩く螺着させ、その後縁板４０ｂ部分を、取付枠３０の前縁板３３の右辺部３３ｄの裏側に重なるように移動する。
【００４２】
このとき、図５のように、ボルト６の頭部を前方に引いた状態で、その軸部を切欠かれた穴３７に差し込み、ボルト６を仮締めする。この作業によって図６のように、側板４０Ｂは取付枠３０に仮止めされ、支えなくても脱落しない状態となり、その後、残りの穴４１に対してボルトと板ナットによる固定を行う。
【００４３】
この作業を他方の側板４０Ａについて行うことにより、図７のように左右の側板４０Ａ、４０Ｂを取付枠３０に固定することができる。
【００４４】
そして、図７に示しているように、底板５０を、その後縁板５０ｂ側から側板４０Ａ、４０Ｂのスリット４５に差し入れ、奥まで押し込み、基部５０ａの両側の穴５１を側板４０Ａ、４０Ｂの下縁板４０ｅの穴４４に合わせてボルト固定することで、図８のように、底板５０を固定することができる。なお、このボルト固定は、ボルトに螺着可能な穴を有する二つ折りされたバネ板からなるクリップナット（図示せず）を、予め下縁板４０ｅを挟むように取り付けておき、そのクリップナットにボルトを締付ける。
【００４５】
この図８の状態で、必要な配管・配線工事を行い、図９のように、冷媒管や各種ケーブルからなる管・ケーブル体１０を開口部１ｂから引き出し、底板５０の開口から引き出し、ラック２に沿って配管・配線する。そして、冷媒管関係の管・ケーブル体１０についてはラック２から引き出してその近傍に多数設置された各個別の室外機（図示せず）に接続する。また、他のケーブルについてもそれぞれ適当な位置でラック２から引き出して配線する。
【００４６】
この配管・配線工事の後に、図９に示しているように、前板７０を側板４０Ａ、４０Ｂの前縁板にボルト固定する（この固定作業も前記同様にクリップナットを用いる）。
【００４７】
次に、図１０のように、奥側の上板構成板６１を、スペーサ６４を挟んだ状態で（予めスペーサ６４を上板構成板６１に接着固定しておいてもよい）、側板４０Ａ、４０Ｂの奥側上部にボルト８と前記クリップナットを用いて固定する。ただし、この固定に使用するボルト８は、他の取付に用いているボルト６とは異なるヘッド形状のものを使用している。
【００４８】
例えば、通常使用するボルト６は、頭部が六角柱で端面にプラス溝（マイナス溝でもよい）が設けられている極めて汎用性が高いものであり（第１のネジ）、作業者が頻繁に使用するプラスやマイナスのドライバービットあるいは６角ボックスレンチで締付け作業が行える。これに対し、奥側の上板構成板６１を側板４０Ａ、４０Ｂに固定するボルト８は、それ以外の汎用性の低いボルト（第２のネジ）、例えば、頭部が円柱で端面に六角穴が設けられ、六角棒レンチを使用しないと締付け作業ができない六角穴付きボルトを用いている。このような六角棒レンチ使用のボルトの屋外配管・配線工事への使用頻度は非常に低く、メンテンナンス作業者が他の一般的なボルトと同じ感覚でむやみに外したりしないので、後述するコーキング材の剥がれを防ぐことができる。なお、ボルト８（第２のネジ）としては、上記の頭部外形円柱で六角穴付きのボルトの他に、頭部が円柱形、半円球形で、端面に星型溝、非対称溝等が設けられ、プラスやマイナス以外の専用ドライバーでしか締付け作業ができないものを用いてもよい。
【００４９】
このようにして、上流側の上板構成板６１が側板４０Ａ、４０Ｂに固定された後、図１１のように、下流側の上板構成板６５を、その基部６５ａの後縁と側縁板６５ｂ、６５ｃの後縁が、上板構成板６１の基部６１ａの前縁、側縁板６１ｃ、６１ｄと側板４０Ａ、４０Ｂとの隙間に入り込むように差し込み、各ネジ溝穴６６を上流側の上板構成板６１の各穴６３に合わせ、ボルト６で締め付け、また、上板構成板６５の穴６７と側板４０Ａ、４０Ｂの穴４３とを合わせて、ボルト６で固定する（前記クリップナット使用）ことで、図１、図１２に示すように、フードボックス２０の組み立てが完了する。
【００５０】
そして、図１２に示しているように、取付枠３０の外周に形成された窪み８０に対して、コーキング処理を行うことで、高い防水性が得られる。また、上縁が前方に向かって下がるように傾斜している両側板４０Ａ、４０Ｂに固定された二つの上板構成板６１、６５は、取付枠３０から離間するほど低くなるように傾斜しており、しかも取付枠３０に近い方の上板構成板６１の前縁の下面に、取付枠から遠い方の上板構成板６５の後縁の上面が接するように重なり合っているから、上板上に降った雨は、その傾斜に沿って取付枠３０から離間する方向へ流れるので、上板を分割したことによる防水性の低下は発生しない。
【００５１】
なお、メンテナンス作業などで、フードボックス２０の上面側を開口したい場合には、上板構成板６１、６５同士を連結しているボルト６と、下流側の上板構成板６５を側板４０Ａ、４０Ｂに固定しているボルト６を外し、前方に引き出すことで取り外すことができる。この場合でも、図１３のように、上流側の上板構成板６１は固定されたままであるから、その後端部を覆うように流し込まれたコーキング材が剥がれることがなく、コーキング処理をやり直しが不要となる。
【００５２】
なお、上記実施形態では、スペーサ６４を用いて、下流側の上板構成板６５の挿入スペースを確保していたが、図１４に示すように、上流側の上板構成板６１に、エンボス加工等により、下方へ陥没する陥没部６４′を設けて、下流側の上板構成板６５の挿入スペースを確保してもよい。また、図示しないが、上流側の上板構成板６１の前縁を、上方および側方に僅かに膨出するようにプレス加工し、その膨出により内側に形成されたスペースに下流側の上板構成板６５の後縁部を差し込むようにしてもよい。
【００５３】
また、上板構成板６１、６５同士の連結に必要なネジ溝穴６６は、前記したように、スリーブ加工、ナット溶接止めの他に、例えば、図１５のように、下流側の上板構成板６５にカシメ止めされたナット６８によって形成することができる。このナット６８は、上端のフランジ６８ａと下端のネジ穴部６８ｂとの間の筒部６８ｃが、外側に開くようにして押しつぶされて、フランジ６８ａとの間で上板構成板６５の下穴の周縁を挟み付けて固定される構造のもので、壁材にその一面側からボルト穴を設ける場合に利用される。この場合、上板構成板６１、６５を密着させるために、上板構成板６１の穴６３の径をナット６８のフランジ６８ａの外径より大きくする必要があるので、ボルト６に幅広のワッシャー９を挿入して締めつけている。
【００５４】
なお、本発明は、これら図示例に限定されるものではなく、取付枠３０、側板４０Ａ、４０Ｂ、底板５０、上板構成板６１、６５、前板７０の形状、寸法等は、本発明の要旨を変更しない範囲において自由に変更できる。
【００５５】
また、上記実施形態では、上板６０が前後二つの上板構成板６１、６５で分割される構造であったが、より多くの上板構成板で前後方向に分割される構造であってもよい。
【符号の説明】
【００５６】
１……集合配管・配線用建造物、１ａ……側壁部、１ｂ……開口部、２０……フードボックス、３０……取付枠、３１……枠本体、３２……後縁板、３３……前縁板、４０Ａ、４０Ｂ……側板、５０……底板、６０……上板、６１、６５……上板構成板、６４……スペーサ、７０……前板
【図１】
0005847465.tif 000002
【図２】
0005847465.tif 000003
【図３】
0005847465.tif 000004
【図４】
0005847465.tif 000005
【図５】
0005847465.tif 000006
【図６】
0005847465.tif 000007
【図７】
0005847465.tif 000008
【図８】
0005847465.tif 000009
【図９】
0005847465.tif 000010
【図１０】
0005847465.tif 000011
【図１１】
0005847465.tif 000012
【図１２】
0005847465.tif 000013
【図１３】
0005847465.tif 000014
【図１４】
0005847465.tif 000015
【図１５】
0005847465.tif 000016
【図１６】
0005847465.tif 000017